(57)【要約】【課題】部品点数を可及的に削減しつつワンタッチでかつ着脱可能に抜け止め固定し得るセンサの取付構造を提供する。【解決手段】センサ部材２ａが内挿されて取り付けられる孔部５を構成する筒部材５２ａに対し二対の係合孔５３，５３、５４，５４を形成する。センサ部材２ａとしてセンサ本体３ａと合成樹脂製の取付部４とで一体化する。両取付片４２，４２をつまんでＯリング６付きのセンサ部材を孔部に内挿し、両係合爪４３，４３を係合孔５３，５３に係合させる。両取付片間の孔部空間にロック保持部材７を内嵌させることにより、係合爪７６，７６を係合孔５４，５４に係合させて、両平坦面７４，７４で両取付片の内方側への変位を阻止すると同時に、雄端子部３４，３４を雌端子部７５，７５に差し込んで計測部３１と信号送出ライン３３ａとを電気的接続する。取り外しは、自由端４２１，４２１を利用して行う。【選択図】      図４
2004325210.tif 000002
【特許請求の範囲】
【請求項１】
棒状のセンサ本体と、このセンサ本体に結合された合成樹脂製取付部とからなるセンサ部材を、取付対象の孔部に対し上記センサ本体の先端側から内挿することにより取り付けられるセンサの取付構造であって、
上記取付部は上記センサ本体の後端側に延びる取付片と、この取付片の自由端側位置から上記センサ本体の外周側に突出する係合爪とを備えて構成され、
上記孔部はその内壁面に上記係合爪と係合する段状又は孔状の係合部を有し、
上記係合爪と係合部とは、上記取付片をその素材が有する可撓性により上記センサ本体の内外周方向に変位させることにより互いに係脱するように構成されている
ことを特徴とするセンサの取付構造。
【請求項２】
請求項１に記載のセンサの取付構造であって、
上記孔部内にセンサ部材が内挿され取付片の係合爪が係合部に係合した状態で、上記係合爪よりもセンサ本体の先端側位置の取付部と、上記孔部の奥端部との間にシールリングが密着状態で介装されるように構成されている、センサの取付構造。
【請求項３】
請求項１又は請求項２に記載のセンサの取付構造であって、
上記取付片はセンサ本体の周囲において相対向する位置から延びる一対のもので構成され、各取付片の自由端は係合爪が係合部に係合した状態で上記孔部から外方に突出するように形成されている、センサの取付構造。
【請求項４】
請求項１〜請求項３のいずれかに記載のセンサの取付構造であって、
上記孔部内にセンサ部材が内挿され取付片の係合爪が係合部に係合した状態で、その孔部に内嵌させることにより上記取付片の内周側への変位を阻止して上記係合爪を係合状態に保持するロック保持部材をさらに備えている、センサの取付構造。
【請求項５】
請求項４に記載のセンサの取付構造であって、
上記ロック保持部材には信号送出ラインが結合され、この信号送出ラインは上記ロック保持部材を上記孔部内に内嵌させることにより上記センサ本体と電気的に接続されるように構成されている、センサの取付構造。
【発明の詳細な説明】
【０００１】
【発明の属する技術分野】
本発明は、サーミスタ等のセンサの取付構造に関し、特に部品点数の削減化を図りつつも容易な作業により着脱可能とし得る技術に係る。
【０００２】
【従来の技術】
従来、センサの取付構造として、特許文献１又は特許文献２により提案されたものが知られている。特許文献１で提案のものは、センサ側に対しフックを有するプラスチックシェルを一体に成形し、センサが装着される孔に上記フックが通過する切れ込み状のノッチと肩部とを成形し、上記フックをノッチに通過させた後にセンサ側を回転させることにより上記フックを肩部に係合させてロックするようにしている。また、特許文献２で提案のものは、センサとしてのサーミスタを装着させる筒体を角筒とし、角筒内に挿入したサーミスタと角筒内壁面との間の隙間に取付バネを圧入してサーミスタが位置ずれしないようにしている。
【０００３】
【特許文献１】
特開平７−７７４６１号公報
【特許文献２】
特開平１１−１１８６１８号公報。
【０００４】
【発明が解決しようとする課題】
ところで、内部通路に流体が通過される給湯器等の機器においては、その内部通路内の流体温度を検知するためのセンサ（例えばサーミスタ）が一般に付設される。このようなサーミスタの取り付けは内部の流体が漏れないようにシールした状態で行われる。このような取付構造の例としては、図８に示すように内部通路１００に連通するよう貫通された側孔５００に対しシール用Ｏリング６を介してサーミスタ２００を挿入し、押さえ板８００をネジ８０１により固定することにより上記Ｏリング６を押圧した状態でサーミスタ２００が飛び出ないように取り付けるものがある。あるいは、図９に示すように内部通路１００に連通するように固定された筒状ブラケット５０１に対しシール用Ｏリング６を介装したサーミスタ２０１を挿入し、抜け止めクリップ９００を横から差し込むことによりその内溝９０１内に筒状ブラケット５０１のフランジ部５０２と、サーミスタ２０１に固定された黄銅製の鍔部２０２とを挟み込んでサーミスタ２０１が飛び出ないように取り付けるものもある。
【０００５】
しかしながら、図８及び図９のいずれの取付構造の場合もサーミスタ２００，２０１を抜け止めした状態に固定するために押さえ板８００及びネジ８０１あるいは抜け止めクリップ９００というような別部品を必要としている上に、その取付作業も２工程又は３工程を要している。１台の給湯器に対し複数のサーミスタが取り付けられるような場合であると、部品点数及びその部品管理の手間も増大する上に、給湯器の製造工数も増大してしまうことになる。
【０００６】
また、センサによっては一旦取り付けた後に、そのメンテナンスもしくは交換等のために容易に取り外しできるようにする必要もある。
【０００７】
本発明は、このような事情に鑑みてなされたものであり、その目的とするところは、部品点数を可及的に削減しつつワンタッチでかつ着脱可能に抜け止め固定し得るセンサの取付構造を提供することにある。
【０００８】
【課題を解決するための手段】
上記目的を達成するために、本発明では、棒状のセンサ本体と、このセンサ本体に結合された合成樹脂製取付部とからなるセンサ部材を、取付対象の孔部に対し上記センサ本体の先端側から内挿することにより取り付けられるセンサの取付構造を対象として次の特定事項を備えることとした。すなわち、上記取付部として、上記センサ本体の後端側に延びる取付片と、この取付片の自由端側位置から上記センサ本体の外周側に突出する係合爪とを備えた構成とし、上記孔部として、その内壁面に上記係合爪と係合する段状又は孔状の係合部を有するものとする。そして、上記係合爪と係合部とを、上記取付片をその素材が有する可撓性により上記センサ本体の内外周方向に変位させることにより互いに係脱する構成とした（請求項１）。
【０００９】
この本発明の場合、センサ部材を孔部に押し込んで内挿させていくと係合爪が孔部の内壁面に押されることにより係合爪の突出分だけ取付片が撓みながら前進し、係合爪が係合部位置まで前進すると取付片の弾性復元力によりセンサ本体の外周側に復元して上記係合爪が係合部に係合することになる。これにより、センサ部材が上記取付対象の孔部に対し抜け止めされた状態で取付固定されることになる。取り外すには、上記取付片の例えば自由端をセンサ本体の内周側に押して変位させると、係合爪が係合部から外れ係合が解除されるため、センサ部材を孔部から抜き出すことが可能になる。以上のように、センサ部材を孔部に押し込むだけというワンタッチ作業でセンサ部材を抜け止めされた状態に取り付けることが可能になる一方、取り外し作業も上記取付片を変位させるだけというワンタッチ作業でセンサ部材を容易に取り外すことが可能になる。しかも、他の取付用の部材を一切不要にしてセンサ部材単体だけでワンタッチかつ着脱可能な抜け止め固定を実現させることが可能になる。なお、係合部としては係合爪に対し抜け止め方向に相対向して係合し得る縁があればよいため、その具体的な形状としては段部であっても、例えば凹孔もしくは貫通孔であっても、いずれでもよい。
【００１０】
本発明においては、さらに次のような特定事項を付加することもできる。すなわち、上記孔部内にセンサ部材が内挿され取付片の係合爪が係合部に係合した状態で、上記係合爪よりもセンサ本体の先端側位置の取付部と、上記孔部の奥端部との間にシールリングが密着状態で介装される構成を付加することができる（請求項２）。この場合には、密着状態で介装されるシールリングからの弾性復元力が係合爪の係合部に対する係合状態を維持する方向に作用するため、センサ部材をより強固に抜け止め固定することが可能になる。
【００１１】
また、上記取付片をセンサ本体の周囲において相対向する位置から延びる一対のもので構成し、各取付片の自由端を係合爪が係合部に係合した状態で上記孔部から外方に突出するように形成することができる（請求項３）。この場合には、センサ部材を取り付ける際には上記一対の取付片の両自由端をつまんで両取付片を互いに内方側に変位させた状態で孔部に挿入し、係合爪が係合部のある位置で上記両自由端を離せば各取付片の係合爪が係合部に係合してセンサ部材の抜け止め固定作業は終了する。逆に取り外す際には、抜け止め固定した状態で上記両自由端が孔部から突出しているため、その両自由端をつまんで上記と同様に両取付片を内方側に変位させるだけで係合状態を解除してセンサ部材を容易に取り外すことが可能になる。
【００１２】
さらに、上記孔部内にセンサ部材が内挿され取付片の係合爪が係合部に係合した状態で、その孔部に内嵌させることにより上記取付片の内周側への変位を阻止して上記係合爪を係合状態に保持するロック保持部材をさらに備えることもできる（請求項４）。この場合には、ロック保持部材の内嵌により取付片の内周側への変位が確実に阻止されるため、上記取付片の自由端もしくは係合爪等に対し他のものが衝突するなどの何らかの外力が万一作用した場合であっても、係合爪と係合部との係合状態は確実に保持され、これにより、抜け止め固定状態を確実に維持させることが可能になる。
【００１３】
上記のロック保持部材を採用する場合には、上記ロック保持部材に信号送出ラインを結合し、上記ロック保持部材を上記孔部内に内嵌させることによりその信号送出ラインが上記センサ本体と電気的に接続される構成を付加するようにすることもできる（請求項５）。このようにすることにより、信号送出ラインの存在に気を使うことなくロック保持部材の孔部への内嵌作業を行うことが可能になる上、その内嵌作業を行うと同時にセンサ本体と信号送出ラインとの電気的接続を行うことも可能になる。つまり、信号送出ラインをセンサ本体と分離させずに本来通りセンサ本体に接続させた状態にしておいた場合、ロック保持部材の孔部への内嵌作業の際には、既に孔部内にセンサ部材が位置してそのセンサ部材からの信号送出ラインが孔部内から外部まで延びているため、その信号送出ラインに干渉しないようにロック保持部材の内嵌作業を行う必要が生じる。これを解消し得ることになる。そして、信号送出ラインをセンサ本体と上記の如く分離したとしても、ロック保持部材を内嵌させるだけで信号送出ラインとセンサ本体との電気的接続が可能となる。
【００１４】
【発明の効果】
以上、説明したように、請求項１〜請求項５のいずれかのセンサの取付構造によれば、センサ部材を孔部に押し込むだけというワンタッチ作業でセンサ部材を抜け止めされた状態に取り付けることができる一方、取り外し作業も取付片を変位させるだけというワンタッチ作業でセンサ部材を容易に取り外すことができる。しかも、他の取付用の部材を一切不要にしてセンサ部材単体だけでワンタッチかつ着脱可能な抜け止め固定を実現させることができる。
【００１５】
特に、請求項２によれば、密着状態で介装されるシールリングからの弾性復元力により、センサ部材をより強固に抜け止め固定することができるようになる。
【００１６】
また、請求項３によれば、取付片が一対あるため、センサ部材を取り付ける際には上記一対の取付片の両自由端をつまんだ状態で孔部に挿入すれば容易に係合爪を係合部に係合させてセンサ部材の抜け止め固定作業を終了させることができる一方、逆に取り外す際にも、孔部から突出している上記両自由端をつまんで内方側に変位させるだけで係合状態を解除してセンサ部材を容易に取り外すことができるようになる。
【００１７】
さらに、請求項４によれば、ロック保持部材を内嵌させることにより、取付片の自由端もしくは係合爪等に対し他のものが衝突するなどの何らかの外力が万一作用した場合であっても、係合爪と係合部との係合状態が解除されることなくその係合状態を確実に保持して、センサ部材の抜け止め固定状態を確実に維持させることができるようになる。
【００１８】
請求項５によれば、上記の請求項４の場合に信号送出ラインの存在に気を使うことなくロック保持部材の孔部への内嵌作業を行うことができる上、その内嵌作業を行うと同時にセンサ本体と信号送出ラインとの電気的接続をも行うことができるようになる。
【００１９】
【発明の実施の形態】
以下、本発明の実施形態を図面に基づいて説明する。
【００２０】
＜第１実施形態＞
図１は、本発明の第１実施形態に係るセンサの取付構造の取付前の斜視図を示す。同図において、符号２はセンサ部材であり、このセンサ部材２はセンサ本体３と、着脱用コネクタの役割を果たす合成樹脂製の取付部４とからなり、取付対象の孔部５に対しシールリングとしてのＯリング６を介して内挿することにより取り付けられるようになっている。上記孔部５は、本実施形態の場合、取付対象を構成する壁部５１に対し固定された筒部材５２の内部空間により構成されている。
【００２１】
上記センサ本体３は本実施形態では棒状のサーミスタにより構成されており、先端部である細径の計測部３１と、太径の本体部３２と、この本体部３２の後端から延びる信号送出ライン３３とからなる。
【００２２】
上記取付部４は上記センサ本体３の本体部３２の中間位置の外周囲を取り囲んで外周側に突出する鍔部４１と、この鍔部４１の周方向で相対向する位置からそれぞれ上記センサ本体３の後端側（図１の上方側）に所定寸法延びる一対の取付片４２，４２と、各取付片４２の自由端４２１側の位置から外周側に突出する係合爪４３とからなり、これらが合成樹脂により一体に形成されて上記センサ本体３に対し結合されている。上記各取付片４２は、後述の如くセンサ部材２が孔部５内に抜け止め固定された状態で、その自由端４２１が上記筒部材５２の開口縁５２１から作業者の手で掴める程度（図１に一点鎖線で示す自由端４２１参照）だけ突出するようにその延長寸法が設定されている。また、上記各係合爪４３としては、センサ本体３の先端側（図１の下方側）に臨んで傾斜面４３１が形成され、上記センサ本体３の後端側に臨んで係止面４３２が形成されている。
【００２３】
上記筒部材５２は図２（ａ）にも示すように内壁面５２２が上記鍔部４１を内挿し得る内径に設定され、壁部５１との連結部分に段差面５２３を介して小径部５２４が形成されている。そして、基端側がこの小径部５２４を通して壁部５１の内部と連通され、先端側が上記の開口縁５２１により開口されている。また、上記内壁面５２２の開口縁５２１寄りの所定位置であって相対向する両位置には上記各係合爪４３と係合する係合部としての係合孔５３，５３が貫通して形成されている。この各係合孔５３を構成する内縁５３１が上記各係合爪４３の係止面４３２と互いに係合してセンサ部材２の抜け止めの役割を果たすことになる。
【００２４】
また、上記Ｏリング６はその外周囲が上記筒部材５２の内壁面５２２に密着する一方、内周囲が上記センサ本体３の本体部３２の外周面に密着し得る外径及び内径を有している。
【００２５】
以上のセンサ部材２を孔部５に内挿して取り付けるには、図２（ａ）に示すようにセンサ本体３の本体部３２にＯリング６を外嵌させて鍔部４１の先端面側に当接させた状態でセンサ本体３の先端部である計測部３１から孔部５に内挿していく。この際、一対の取付片４２，４２の両自由端４２１，４２１をつまんでセンサ部材２を把持し、その一対の取付片４２，４２をその素材の可撓性を利用して互いにやや内周側に撓ませて変位させた状態で内挿していく。両取付片４２，４２が互いに内周側に変位されているため、外周側の両係合爪４３，４３は筒部材５２の開口縁５２１に引っ掛かることなく孔部５内に入っていくことになる。ここで、上記各係合爪４３が開口縁５２１にたとえ引っ掛かったとしても、各係合爪４３の傾斜面４３１に沿って自然に必要量だけ各取付片４２が撓んでスムースに内挿していくことになる。
【００２６】
そして、Ｏリング６が段差面５２３位置に到達するまで押し込んだ状態で上記両自由端４２１，４２１を離して外周側に開放することにより、図２（ｂ）及び図３に示すように両取付片４２の係合爪４３が係合孔５３に入り込み、各係合爪４３の係止面４３２が各係合孔５３の内縁５３１に密着してセンサ部材２の抜け止め固定（抜け止めされた状態への固定）が終了する。この状態では、センサ本体３の計測部３１が壁部５１内の内部空間に臨んで突出する一方、両取付片４２，４２の自由端４２１，４２１側が筒部材５２の開口縁５２１から所定量突出した状態となる。そして、上記Ｏリング６が筒部材５２の内壁面５２２と、センサ本体３の本体部３２の外周面とにそれぞれ密着し、このＯリング６位置で孔部５が遮断されてシールされることになる。
【００２７】
センサ部材２を取り外す必要が生じた場合には、上記の筒部材５２の開口縁５２１から突出している両取付片４２，４２の自由端４２１，４２１をつまんで互いに内周側に撓ませ、これにより、両係合孔５３，５３から両係合爪４３，４３の係合を解除する。この解除された状態で上記の両自由端４２１，４２１を持ってセンサ部材２を孔部５から引き抜けば、センサ部材２の取り外しが終了することになる。
【００２８】
以上のように本実施形態の場合、センサ部材２の取り付け（抜け止め固定）作業及びその取り外し作業をいずれもワンタッチで行うことができる上に、抜け止め固定を他の特別な取付用の部材・部品を一切不要にしてセンサ部材２そのものだけで行うことができる。
【００２９】
＜第２実施形態＞
図４は、本発明の第２実施形態に係るセンサの取付構造を示し、この第２実施形態はロック保持部材７を組み合わせて抜け止め固定状態の維持の確実化を図るようにしたものである。以下の説明では第１実施形態と同じ構成要素には第１実施形態と同じ符号を付してその詳細な説明を省略する。
【００３０】
第２実施形態のセンサ部材２ａは第１実施形態とは異なる構成のセンサ本体３ａと、第１実施形態と同じ構成の取付部４とから構成され、また、孔部５自体は第１実施形態と同じではあるがこの孔部５を構成する筒部材５２ａが上記ロック保持部材７の係合用にさらに２つの係合孔５４，５４を有している点で第１実施形態と異なっている。
【００３１】
上記センサ本体３ａは、第１実施形態と同様にサーミスタにより構成されているが、信号送出ライン３３と分離されている。すなわち、センサ本体３ａは、先端部である細径の計測部３１と、太径で第１実施形態よりも小寸の本体部３２ａと、この本体部３２ａの後端から突出して上記計測部３１と電気的接続された雄端子部３４，３４とからなる。
【００３２】
一方、上記筒部材５２ａには係合孔５３，５３に加え、両係合孔５３，５３の相対向方向とは直交する方向に相対向する他の一対の係合孔５４，５４がさらに貫通して形成されている。この各係合孔５４を構成する内縁５４１がロック保持部材７の後述の係合爪７６の係止面７６１と互いに係合してロック保持部材７の抜け止めの役割を果たすことになる。
【００３３】
上記ロック保持部材７は、取付部４の鍔部４１に相対向して当接又は近接することになる先端面７１と、装着状態で取付部４の少なくとも各係合爪４３位置に配置されることになる基端面７２と、これら先端面７１及び基端面７２の間の周囲の相反する部位に上記筒部材５２ａの内壁面にほぼ合致する外径を有する円弧面７３，７３と、この両円弧面７３，７３の間に互いに平行な平坦面７４，７４とからなる外形状を有する。この両平坦面７４，７４間の厚みは図４に一点鎖線で示すセンサ部材２ａの抜け止め固定状態で両取付片４２，４２間の間隔とほぼ同じに設定されている。そして、上記基端面７２には信号送出ライン３３ａが接続され、先端面７１には上記雄端子部３４，３４をセンサ部材２ａの孔部５に対する内挿方向から受け入れて上記雄端子部３４，３４を上記信号送出ライン３３ａに電気的接続させる雌端子部７５，７５が設けられている。また、上記両円弧面７３，７３にはそれぞれ所定位置に係合爪７６が配設されており、この各係合爪７６は例えば上記各円弧面７３を構成する壁部の一部が切り起こされることにより形成され、先端に係止面７６１が形成されている。
【００３４】
以上の第２実施形態のセンサ部材２ａを孔部５に内挿して取り付けるには、図５（ａ）に示すようにセンサ本体３ａの本体部３２にＯリング６を外嵌させて鍔部４１の先端面側に当接させた状態でセンサ本体３ａの先端部である計測部３１から孔部５に内挿していく。この作業は第１実施形態の場合と同様に、一対の取付片４２，４２の両自由端４２１，４２１をつまんでセンサ部材２ａを把持し、その一対の取付片４２，４２をその素材の可撓性を利用して互いにやや内周側に撓ませて変位させた状態で内挿させていく。
【００３５】
そして、Ｏリング６が段差面５２３位置に到達するまで押し込んだ状態で上記両自由端４２１，４２１を離して外周側に開放することにより、図５（ｂ）に示すように両取付片４２の係合爪４３が係合孔５３に入り込み、各係合爪４３の係止面４３２が各係合孔５３の内縁５３１に密着してセンサ部材２ａの抜け止め固定が終了する。以上までの作業自体は第１実施形態とほぼ同じである。
【００３６】
次に、図６（ａ）に示すようにロック保持部材７を先端面７１から両取付片４２間の孔部５に内嵌させて、その雌端子部７５，７５（図４参照）に雄端子部３４，３４が差し込まれるように押し込む。すると、係合爪７６，７６が筒部材５２ａの開口縁５２１に押されて各係合爪７６の素材の有する可撓性に基づき撓みつつ内嵌されていき、図６（ｂ）及び図７に示すように雌端子部７５，７５に対する雄端子部３４，３４の差し込みが完了すると同時に、上記各係合爪７６がその弾性復元力により係合孔５４に入り込んで係止面７６１（図４参照）が係合孔５４に係止されることになる。これにより、ロック保持部材７が筒部材５２ａに対し抜け止め固定され、併せて、両平坦面７４，７４がそれぞれ取付片４２の内側面に当接もしくは近接して各取付片４２の内方側への移動を阻止した状態となる。
【００３７】
以上でセンサ部材２ａの取付作業は完了する。この状態では計測部３１により計測された電気信号は雄端子部３４，３４、雌端子部７５，７５及び信号送出ライン３３ａを通して図示省略のコントローラに送出されることになる。しかも、各取付片４２の自由端４２１や係合爪４３に対し外部からの衝突により係合孔５３との係合を解除する側への外力が万一作用したとしても、その各取付片４２の上記係合解除側への移動が上記ロック保持部材７により阻止されているため、センサ部材２ａの抜け止め固定状態を確実に維持することができる。つまり、ロック保持部材７の追加によって、センサ部材２ａを二重の抜け止め防止対策を施すことができる。信号送出ライン３３ａをセンサ本体３ａ側から分離してロック保持部材７に雌端子部７５，７５と共に設けているため、第１実施形態のように信号送出ライン３３をセンサ本体３に接続したままでロック保持部材を内嵌させる場合の信号送出ライン３３との干渉も回避し得る一方、ロック保持部材７の内嵌作業を行うだけで信号送出ライン３３ａと計測部３１との電気的接続をも同時に行うことができるようになる。
【００３８】
次に、センサ部材２ａを取り外す必要が生じた場合には、まず、ロック保持部材７の両係合爪７６，７６を筒部材５２ａの両係合孔５４，５４の外側から内方側に押圧して係合を解除してロック保持部材７を取り外す。この後、第１実施形態のセンサ部材２の取り外し作業の場合と同様に、両取付片４２，４２の自由端４２１，４２１をつまんで互いに内周側に撓ませて両係合孔５３，５３から両係合爪４３，４３の係合を解除した上で、センサ部材２ａを孔部５から引き抜けば容易に取り外すことができる。
【００３９】
＜他の実施形態＞
なお、本発明は上記第１及び第２実施形態に限定されるものではなく、その他種々の実施形態を包含するものである。すなわち、上記第１及び第２実施形態では、孔部５を筒部材５２，５２ａの内部空間により構成しているが、これに限らず、例えば取付対象の壁部に穿孔もしくは貫通形成した連通孔自体により本発明の孔部を構成するようにしてもよい。
【００４０】
上記第１及び第２実施形態では、係合爪４３，７６が係合する係合部として係合孔５３，５４を示したが、係合部としては孔状ではなくても段状のものでもよい。各係合爪４３，７６と係合してセンサ部材２，２ａの内挿方向とは逆方向の抜け止めを果たせばよく、また、その係合解除が各係合爪４３，７６の孔部５の内方側への移動によりなされればよいため、例えば孔部５の内壁面（筒部材５２，５２ａの内壁面）に内方側に凸の段部又は外方側に凹となる段部を形成し、これにより係合部を構成するようにしてもよい。
【００４１】
上記第２実施形態では、ロック保持部材７に対し信号送出ライン３３ａと接続された雌端子部７５を設け、センサ本体３ａに対し雄端子部３４，３４を設けているが、これに限らず、例えば雄・雌を逆にしたり、端子部７５，３４自体を省略して各取付片４２と平坦面７４との接触により電気的接続を行うようにしたりしてもよい。
【００４２】
また、第１実施形態のように信号送出ライン３３をセンサ本体３に接続したまた、ロック保持部材７と形状のみ同じ構成を有するロック保持部材を追加するようにしてもよい。この場合には、上記信号送出ライン３３を収容し得る凹溝状部分をロック保持部材の外周面の一部に形成し、ロック保持部材の内嵌時に信号送出ライン３３を内部に収容させるようにすればよい。
【００４３】
さらに、上記第１及び第２実施形態ではセンサ本体としてサーミスタを用いた場合について説明したが、これに限らず、センサ本体として例えば磁気センサ等を用いて本発明を適用してもよい。
【図面の簡単な説明】
【図１】本発明の第１実施形態を示す分解斜視図である。
【図２】第１実施形態の取付手順を示す一部断面説明図であり、図２（ａ）はセンサ部材の内挿前、図２（ｂ）は内挿後の各状態を示す。
【図３】図２（ａ）のＡ−Ａ線における拡大断面説明図である。
【図４】第２実施形態を示す図１対応図である。
【図５】第２実施形態の取付手順を示す一部断面説明図であり、図５（ａ）はセンサ部材の内挿前、図５（ｂ）は内挿後の各状態を示す。
【図６】図５の取付手順に続く取付手順を示す一部断面説明図であり、図６（ａ）はロック保持部材の内嵌前、図６（ｂ）はロック保持部材の内嵌後の各状態を示す。
【図７】図６（ｂ）のＢ−Ｂ線における一部切欠状態の拡大断面説明図である。
【図８】サーミスタの従来の取付構造例を示す分解斜視図である。
【図９】図８とは異なる従来の取付構造を示す断面説明図である。
【符号の説明】
２，２ａ        センサ部材
３，３ａ        センサ本体
４                取付部
５                孔部
６                Ｏリング（シールリング）
７                ロック保持部材
３１              計測部（センサ本体の先端）
３３ａ            信号送出ライン（ロック保持部材に結合された信号送出ライン）
４１              鍔部（センサ本体の先端側位置の取付部）
４２              取付片
４３              係合爪
５３              係合孔（孔状の係合部）
４２１            自由端
５２３            段差面（孔部の奥端部）
【図１】
2004325210.tif 000003
【図２】
2004325210.tif 000004
【図３】
2004325210.tif 000005
【図４】
2004325210.tif 000006
【図５】
2004325210.tif 000007
【図６】
2004325210.tif 000008
【図７】
2004325210.tif 000009
【図８】
2004325210.tif 000010
【図９】
2004325210.tif 000011